(57)【要約】【課題】回路規模も小さくて済み、かつ測定に必要な時間も少なくて済むＯＦＤＭ放送波の品質測定装置を提供する。【解決手段】ＯＦＤＭ放送波をＦＦＴ演算回路１でＦＦＴ演算してＯＦＤＭサブキャリアを得、ＯＦＤＭサブキャリアから抽出したスキャッタードパイロットキャリアを除算回路５にて基準スキャッタードパイロットキャリアで除算して各スキャッタードパイロットキャリアの変調内容除去と正規化をし、各スキャッタードパイロットキャリアについての除算出力を１有効シンボル期間にわたって平均化処理回路６で平均し、平均化処理の入出力の差に基づく二乗誤差を二乗誤差算出回路７にて各スキャッタードパイロットキャリアについて求め、求めた二乗誤差の電力を所定シンボル期間にわたって加算し、算出二乗誤差出力をキャリア別品質の値とし、算出二乗誤差の電力和出力を総合品質の値とする。【選択図】図１
2005252826.tif 000002
【特許請求の範囲】
【請求項１】
ＯＦＤＭ放送波の品質測定装置であって、ＯＦＤＭ放送波をＦＦＴ演算して復調しＯＦＤＭサブキャリアを出力するＦＦＴ演算手段と、ＯＦＤＭサブキャリアから抽出したスキャッタードパイロットキャリアを基準スキャッタードパイロットキャリアにて除算して各スキャッタードパイロットキャリアの変調内容除去と正規化をする除算手段と、各スキャッタードパイロットキャリアについての除算出力を１有効シンボル期間にわたって平均する平均化手段と、平均化手段の入力と出力との差に基づく二乗誤差を各スキャッタードパイロットキャリアについて算出する二乗誤差算出手段と、算出二乗誤差を１有効シンボル以上の期間にわたって平均化処理する平均化処理手段と、平均化処理された算出二乗誤差の電力を所定シンボル期間にわたって加算する電力和算出手段とを備え、平均化処理手段からの出力をキャリア別品質の値とし、算出電力和出力を総合品質の値とすることを特徴とするＯＦＤＭ放送波の品質測定装置。
【請求項２】
ＯＦＤＭ放送波の品質測定装置であって、ＯＦＤＭ放送波を１有効シンボル期間長遅延する有効シンボル期間長遅延手段と、ＯＦＤＭ放送波から有効シンボル期間長遅延されたＯＦＤＭ放送波を引き算する引き算手段と、信号レベルとノイズレベルとの間の所定レベルに設定した閾値に基づき前記引き算手段の出力からノイズ区間を検出し検出ノイズ区間の期間にわたってノイズ電力を平均するノイズ電力平均手段と、前記閾値に基づき前記引き算手段の出力から前記ノイズ区間に続く信号とノイズとの和信号区間を検出し検出した和信号区間における和信号電力を前記ノイズ区間の期間長にわたって平均する信号電力平均手段と、平均ノイズ電力と平均和信号電力との比を求める除算手段とを備え、除算手段の出力を品質の値とすることを特徴とするＯＦＤＭ放送波の品質測定装置。
【請求項３】
ＯＦＤＭ放送波の品質測定装置であって、ＯＦＤＭ放送波をＦＦＴ演算して復調しＯＦＤＭサブキャリアを出力するＦＦＴ演算手段と、ＯＦＤＭサブキャリアから抽出したスキャッタードパイロットキャリアを基準スキャッタードパイロットキャリアにて除算して各スキャッタードパイロットキャリアの変調内容除去と正規化をする除算手段と、各スキャッタードパイロットキャリアに対する除算出力と基準スキャッタードパイロットキャリアとの誤差を最小にする適応等化手段と、適応等化手段によって最小にされた各スキャッタードパイロットキャリアに対する誤差の電力を１有効シンボル以上の期間にわたって平均する誤差電力平均演算手段と、平均された誤差の電力を所定シンボル期間にわたって加算する誤差電力和演算手段とを備え、誤差電力平均演算手段の出力をキャリア別の品質の値とし、誤差電力和演算手段の出力をＯＦＤＭ放送波の総合品質の値とすることを特徴とするＯＦＤＭ放送波の品質測定装置。
【請求項４】
ＯＦＤＭ放送波の品質測定装置であって、ＯＦＤＭ放送波をＦＦＴ演算して復調しＯＦＤＭサブキャリアを出力するＦＦＴ演算手段と、各ＯＦＤＭサブキャリアの電力を時間方向に所定期間にわたって平均する平均手段と、平均された各ＯＦＤＭサブキャリアの電力を帯域内と帯域外とに区分する区分手段と、区分された帯域内電力のレベルと帯域外電力のレベルとの比を求める除算手段とを備え、除算出力をＯＦＤＭ放送波の品質の値とすることを特徴とするＯＦＤＭ放送波の品質測定装置。
【発明の詳細な説明】
【技術分野】
【０００１】
本発明は地上波デジタルテレビジョン放送波の品質を測定するＯＦＤＭ放送波の品質測定装置に関する。
【背景技術】
【０００２】
地上波デジタルテレビジョン放送波の品質を示すパラメータの一つである変調誤差比（ＭＥＲ(Modulation  Error  Ratio)とも記す）が知られており、例えば欧州ＤＶＢ規格で、ＥＴＲ−２９０測定ガイドライン中においても地上波デジタルテレビジョン放送波のＭＥＲ測定について規定されている。これに基づいて地上波デジタルテレビジョン放送波のＭＥＲ測定装置にて測定したＭＥＲ値をＯＦＤＭ放送波の品質の指標とすることが行われている。
【０００３】
従来のＯＦＤＭ放送波のＭＥＲ測定装置は図１０に示すように構成されていた。ＯＦＤＭ放送波をＦＦＴ演算回路１および同期回路２に供給して、同期回路２においてＯＦＤＭ放送波の有効シンボル区間の位置を検出し、有効シンボル区間情報をＦＦＴ時間窓情報としてＦＦＴ演算回路１に供給し、入力ＯＦＤＭ放送波をＦＦＴ時間窓で抽出した信号に対してＦＦＴ演算回路１においてＦＦＴ演算を行って復調し、ＯＦＤＭサブキャリアを得る。
【０００４】
入力ＯＦＤＭ放送波の振幅、位相が不明のため、ＦＦＴ演算回路１にて復調されたＯＦＤＭサブキャリアを受けて等化回路３５では、入力ＯＦＤＭ放送波中のスキャッタードパイロットキャリアの振幅および位相を基準スキャッタードパイロットキャリアの既知である振幅、位相に合わせる処理をする。等化回路３５から出力されるＯＦＤＭサブキャリアを受けて硬判定回路３７では、入力されたＯＦＤＭサブキャリアの各々に対する複素平面上の位置からシンボル値を判定処理する所謂硬判定処理を行う。
【０００５】
誤差算出回路３６では、等化処理されたＯＦＤＭサブキャリアの各々に対する複素平面上の位置から、硬判定回路３７による硬判定出力を差し引いて誤差を求め、誤差算出回路３６において求めた誤差の電力和を電力和算出回路３８で求める。
【０００６】
一方、硬判定回路３７で判定されたシンボル値の電力和を電力和算出回路３９にて求め、電力和算出回路３８にて求めた誤差の電力和と電力和算出回路３９にて求めた判定シンボル値の電力和との比をＭＥＲ値としてＭＥＲ値演算回路４０にて求める。したがって、ＭＥＲ値は（１）式によって求められる。
【０００７】
【数１】
2005252826.tif 000003
【発明の開示】
【発明が解決しようとする課題】
【０００８】
しかしながら、上記した従来のＯＦＤＭ放送波のＭＥＲ測定装置によるときは、等化回路３５による等化処理と硬判定回路３７による判定処理と誤差算出回路３６による誤差算出処理とをＯＦＤＭサブキャリアの全てに対して行う必要があるため、ＭＥＲ値を得るためには大規模の回路を必要とするという問題点があった。
【０００９】
本発明は、回路規模も小さくて済むＯＦＤＭ放送波の品質測定装置を提供することを目的とする。
【課題を解決するための手段】
【００１０】
本発明にかかる請求項１記載のＯＦＤＭ放送波の品質測定装置は、ＯＦＤＭ放送波をＦＦＴ演算して復調しＯＦＤＭサブキャリアを出力するＦＦＴ演算手段と、ＯＦＤＭサブキャリアから抽出したスキャッタードパイロットキャリアを基準スキャッタードパイロットキャリアにて除算して各スキャッタードパイロットキャリアの変調内容除去と正規化をする除算手段と、各スキャッタードパイロットキャリアについての除算出力を１有効シンボル期間にわたって平均する平均化手段と、平均化手段の入力と出力との差に基づく二乗誤差を各スキャッタードパイロットキャリアについて算出する二乗誤差算出手段と、算出二乗誤差を１有効シンボル以上の期間にわたって平均化処理する平均化処理手段と、平均化処理された算出二乗誤差の電力を所定シンボル期間にわたって加算する電力和算出手段とを備え、平均化処理手段からの出力をキャリア別品質の値とし、算出電力和出力を総合品質の値とすることを特徴とする。
【００１１】
本発明にかかる請求項２記載のＯＦＤＭ放送波の品質測定装置は、ＯＦＤＭ放送波の品質測定装置であって、ＯＦＤＭ放送波を１有効シンボル期間長遅延する有効シンボル期間長遅延手段と、ＯＦＤＭ放送波から有効シンボル期間長遅延されたＯＦＤＭ放送波を引き算する引き算手段と、信号レベルとノイズレベルとの間の所定レベルに設定した閾値に基づき前記引き算手段の出力からノイズ区間を検出し検出ノイズ区間の期間長にわたってノイズ電力を平均するノイズ電力平均手段と、前記閾値に基づき前記引き算手段の出力から前記ノイズ区間に続く信号とノイズとの和信号区間を検出し検出した和信号区間における和信号電力を前記ノイズ区間の期間長にわたって平均する信号電力平均手段と、平均ノイズ電力と平均和信号電力との比を求める除算手段とを備え、除算手段の出力を品質の値とすることを特徴とする。
【００１２】
本発明にかかる請求項３記載のＯＦＤＭ放送波の品質測定装置は、ＯＦＤＭ放送波をＦＦＴ演算して復調しＯＦＤＭサブキャリアを出力するＦＦＴ演算手段と、ＯＦＤＭサブキャリアから抽出したスキャッタードパイロットキャリアを基準スキャッタードパイロットキャリアにて除算して各スキャッタードパイロットキャリアの変調内容除去と正規化をする除算手段と、各スキャッタードパイロットキャリアに対する除算出力と基準スキャッタードパイロットキャリアとの誤差を最小にする適応等化手段と、適応等化手段によって最小にされた各スキャッタードパイロットキャリアに対する誤差の電力を１有効シンボル以上の期間にわたって平均する誤差電力平均演算手段と、平均化された誤差の電力を所定シンボル期間にわたって加算する誤差電力和演算手段とを備え、誤差電力平均演算手段の出力をキャリア別の品質の値とし、誤差電力和演算手段の出力をＯＦＤＭ放送波の総合品質の値とすることを特徴とする。
【００１３】
本発明にかかる請求項４記載のＯＦＤＭ放送波の品質測定装置は、ＯＦＤＭ放送波をＦＦＴ演算して復調しＯＦＤＭサブキャリアを出力するＦＦＴ演算手段と、各ＯＦＤＭサブキャリアの電力を時間方向に所定期間にわたって平均する平均手段と、平均された各ＯＦＤＭサブキャリアの電力を帯域内と帯域外とに区分する区分手段と、区分された帯域内電力のレベルと帯域外電力のレベルとの比を求める除算手段とを備え、除算出力をＯＦＤＭ放送波の品質の値とすることを特徴とする。
【発明の効果】
【００１４】
本発明の請求項１記載のＯＦＤＭ放送波の品質測定装置によれば、ＯＦＤＭ放送波からＦＦＴ演算によりＯＦＤＭサブキャリアを得て、ＯＦＤＭサブキャリアから抽出されたスキャッタードパイロットキャリアが基準スキャッタードパイロットキャリアにて除算されて各スキャッタードパイロットキャリアの変調内容除去と正規化がなされる。各スキャッタードパイロットキャリアについての除算出力が１有効シンボル期間にわたって平均化手段によって平均され、平均化手段の入力と出力との差に基づく二乗誤差が各スキャッタードパイロットキャリアについて算出され、算出された二乗誤差が１有効シンボル以上の期間にわたって平均化処理手段により平均化処理される。この平均化処理された二乗誤差がキャリア別品質の値とされる。平均化処理された二乗誤差の電力は所定シンボル期間にわたって加算される。この加算された二乗誤差の電力は総合品質の値とされる。このように品質を求めるために、ＯＦＤＭサブキャリアの全てに対して品質を求める演算を行う必要がなくなり装置の規模が小さくて済む。
【００１５】
本発明の請求項２記載のＯＦＤＭ放送波の品質測定装置によれば、ＯＦＤＭ放送波から１有効シンボル期間長遅延されたＯＦＤＭ放送波が引き算され、引き算出力により得たノイズ成分のみの電力がノイズ成分区間の期間長にわたって平均され、ノイズ成分区間外における引き算により得た信号とノイズとの和信号の電力がノイズ成分区間の期間長にわたって平均され、平均和信号電力と平均ノイズ電力との比が除算により求められて、除算値が品質の値とされる。このように品質を求めるために、ＦＦＴ演算が不要のために装置規模が小さくて済むほかに、ＯＦＤＭサブキャリアの全てに対して品質を求める演算を行う必要がなくなり装置の規模が小さくて済む。
【００１６】
本発明の請求項３記載のＯＦＤＭ放送波の品質測定装置によれば、ＯＦＤＭ放送波からＦＦＴ演算によりＯＦＤＭサブキャリアを得て、ＯＦＤＭサブキャリアから抽出されたスキャッタードパイロットキャリアが基準スキャッタードパイロットキャリアにて除算されて各スキャッタードパイロットキャリアの変調内容除去と正規化がなされる。各スキャッタードパイロットキャリアに対する除算出力と基準スキャッタードパイロットキャリアとの誤差が適応等化手段によって最小にされ、最小にされた各スキャッタードパイロットキャリアに対する誤差の電力が１有効シンボル以上の期間にわたって平均され、平均値がキャリア別の品質の値とされ、平均された誤差の電力が所定シンボル期間にわたって加算され、加算された和がＯＦＤＭ放送波の総合品質の値とされる。このように品質を求めるために、ＯＦＤＭサブキャリアの全てに対して品質を求める演算を行う必要がなくなり装置の規模が小さくて済む。
【００１７】
本発明の請求項４記載のＯＦＤＭ放送波の品質測定装置によれば、ＯＦＤＭ放送波をＦＦＴ演算して得た各ＯＦＤＭサブキャリアの電力が時間方向に所定期間にわたって平均され、平均された各ＯＦＤＭサブキャリアの電力が帯域内と帯域外とに区分され、区分された帯域内の電力レベルと帯域外の電力レベルとの比が除算手段にて除算されて、除算出力がＯＦＤＭ放送波の品質の値とされる。このように品質を求めるために、ＯＦＤＭサブキャリアの全てに対して品質を求める演算を行う必要がなくなり装置の規模が小さくて済む。
【発明を実施するための最良の形態】
【００１８】
以下、本発明にかかるＯＦＤＭ放送波の品質測定装置を実施の形態によって説明する。
【００１９】
図１は本発明の実施の第１の形態にかかるＯＦＤＭ放送波の品質測定装置の構成を示すブロック図である。
【００２０】
本発明の実施の第１の形態にかかるＯＦＤＭ放送波の品質測定装置１０は、図１に示すように、ＯＦＤＭ放送波をＦＦＴ演算回路１および同期回路２に供給し、同期回路２においてＯＦＤＭ放送波の有効シンボル区間の位置を検出し、有効シンボル区間情報をＦＦＴ時間窓情報としてＦＦＴ演算回路１に供給して、ＦＦＴ演算回路１において入力ＯＦＤＭ放送波をＦＦＴ時間窓で抽出した信号に対してＦＦＴ演算を行って復調し、ＯＦＤＭサブキャリアを得る。
【００２１】
ＦＦＴ演算回路１から出力されるＯＦＤＭサブキャリアはスキャッタードパイロットキャリア抽出回路３に供給し、ＯＦＤＭサブキャリア中からスキャッタードパイロットキャリアを抽出する。スキャッタードパイロットキャリア抽出回路３から抽出されたスキャッタードパイロットキャリアは（２）式に示す如くである。
【００２２】
【数２】
2005252826.tif 000004
【００２３】
ここで、ｒは既知であるスキャッタードパイロットキャリアの振幅
αは入力された信号のスキャッタードパイロットキャリアの振幅係数
φｎは既知であるｎ番目のスキャッタードパイロットキャリアの変調位相
θは入力された信号のスキャッタードパイロットキャリアの位相回転量
Ｎｎはｎ番目のスキャッタードパイロットキャリアに含まれるノイズ成分
ｎは自然数
である。
【００２４】
スキャッタードパイロットキャリア抽出回路３から抽出されたスキャッタードパイロットキャリアは、スキャッタードパイロットキャリア位相情報出力回路４から出力される基準スキャッタードパイロットキャリアの既知である振幅情報および位相情報を受けて除算回路５において（３）式に示す除算演算を行い、各スキャッタードパイロットキャリアの変調内容除去と正規化とを行う。
【００２５】
【数３】
2005252826.tif 000005
【００２６】
ここで、φｎで表された変調位相はスキャッタードパイロットキャリアの番号によって異なっており、ノイズ成分を含む（２）式のスキャッタードパイロットキャリアをｅφｎにて割ることが変調内容の除去に当たり、ｒにて割ることが正規化に当たる。すなわち（３）式の演算を行うことによる変調内容の除去の結果、スキャッタードパイロットキャリアの番号によって異なる変調位相が、変調内容に無関係の位相となる。なお、（３）式において、Ｎｎはノイズ成分であるため、（２）式をαｅφｎで割る演算によって振幅、位相が変化した新たなノイズ成分Ｎｎ′とおいた。
【００２７】
除算回路５からの出力は平均化処理回路６において１有効シンボル期間における各スキャッタードパイロットキャリアについて平均化する。Ｎｎ′はノイズ成分であり、ガウス分布にしたがうものとすれば、平均化処理によってノイズ成分Ｎｎ′はＮｎ′≒０となり、平均化処理回路６の出力は（４）式に示す如くになる。
【００２８】
【数４】
2005252826.tif 000006
【００２９】
次に、平均化処理回路６の出力と除算回路５の出力、すなわち平均化処理回路６の入出力の値を用いて平均化処理された除算出力と平均化処理前の除算出力の差に基づく二乗誤差を各スキャッタードパイロットキャリアについて二乗誤差算出回路７にて求める。求めた二乗誤差は（５）式に示す如くであり、ＯＦＤＭ放送波中のノイズ成分を表しており、キャリア別の品質を示している。
【００３０】
【数５】
2005252826.tif 000007
【００３１】
上記の（５）式の演算を、指定したスキャッタードパイロットキャリアについて行うことにより、スキャッタードパイロットキャリア別の簡易品質の値が得られる。さらにこの値を平均化処理回路９で１有効シンボル以上の期間の平均を取ることで精度の向上と安定した簡易品質の値が得られる。また、上記の演算を１シンボル期間の全スキャッタードパイロットキャリアに対して行うことによって、ＯＦＤＭ放送波１有効シンボル期間に対する簡易品質の値の分布が得られ、この分布から品質劣化の要因を推定することができる。
【００３２】
ＯＦＤＭ放送波１有効シンボル期間内の全てのスキャッタードパイロットキャリアについて（５）式から求めた簡易品質の値の分布が図３に示すような分布のときは、部分ａはアナログ放送波における映像搬送波の影響を受けている部分を示し、部分ｂはアナログ放送波における音声搬送波の影響を受けている部分を示している。前者はスキャッタードパイロットキャリア番号３０付近がこれに当たり、後者はスキャッタードパイロットキャリア番号２１０付近がこれに当たる。
【００３３】
同様に求めた簡易品質の値の分布が図４に示すような分布のときは、マルチパス波による周波数フェージングの影響を受けているときであって、周波数によって強め合ったり弱め合ったりを周期的に繰り返している。簡易品質の値の分布が図５に示すような分布のときは、全体の品質が低下している場合であって、全帯域に干渉を与えるＯＦＤＭ放送波が存在する場合か、あるいは全帯域にわたってノイズを出すような機器の故障が存在するものと推定される。
【００３４】
平均化処理回路９において処理した二乗誤差を電力和算出回路８に供給して、平均化された算出二乗誤差の電力を所定シンボル期間にわたって加算することによって総合簡易品質の値が得られる。
【００３５】
ＯＦＤＭ放送波の品質測定装置１０によって求めた簡易品質の値を、図２に示すように、ＭＥＲ値換算回路１１に供給してＭＥＲ値に変換することができる。ＭＥＲ値換算回路１１は、例えば品質の値に対応するＭＥＲ値を格納した記憶装置からなり、ＯＦＤＭ放送波の品質測定装置１０にて求めた品質の値を参照して、ＯＦＤＭ放送波の品質測定装置１０にて求めた品質の値に対応する簡易ＭＥＲ値をＭＥＲ変換回路１１である記憶装置から得ることができる。ＭＥＲ値換算回路１１はＯＦＤＭ放送波の品質測定装置１０によって求めた簡易品質の値に基づき演算によって簡易ＭＥＲ値を求めるようにしてもよい。
【００３６】
次に、本発明の実施の第２の形態にかかるＯＦＤＭ放送波の品質測定装置について説明する。図６は本発明の実施の第２の形態にかかるＯＦＤＭ放送波の品質測定装置の構成を示すブロック図である。
【００３７】
本発明の実施の第２の形態にかかるＯＦＤＭ放送波の品質測定装置５０は図６に示すように、ＯＦＤＭ放送波を有効シンボル長遅延回路１２および引き算回路１３に供給し、有効シンボル長遅延回路１２にてＯＦＤＭ放送波を有効シンボル長の期間遅延し、ＯＦＤＭ放送波から有効シンボル長遅延回路１２にて遅延されたＯＦＤＭ放送波を引き算回路１３によって引き算する。
【００３８】
ｎ番目のシンボルのＯＦＤＭ放送波を（６）式で示す。
【００３９】
【数６】
2005252826.tif 000008
【００４０】
ここで、ｆｎ（ｔ）はＯＦＤＭ放送波中の信号成分、
Ｎｎ（ｔ）はＦＤＭ放送波中のノイズ成分、
ｔはガードインターバルの先頭を０とした各シンボルの伝送シンボル長（０〜ＴＡＬＬ）期間中における時刻とする。有効シンボル長遅延回路１２から出力される有効シンボル長Ｔｓ遅延された信号について、Ｔｓ≦ｔ≦ＴＡＬＬのときには、ガードインターバル部分が出力されるため、（７）式の如くになる。
【００４１】
【数７】
2005252826.tif 000009
【００４２】
Ｔｓ≦ｔ≦ＴＡＬＬ以外のとき（ｆｎ（ｔ）における０≦ｔ＜Ｔｓのとき）には、有効シンボル長遅延回路１２から出力される有効シンボル長Ｔｓ遅延された信号は、（８）式の如くになる。
【００４３】
【数８】
2005252826.tif 000010
【００４４】
そこで、引き算回路１３による引き算結果（差分）ついてみれば、時刻ｔにおける信号の差分はＴｓ≦ｔ≦ＴＡＬＬのときには、（９）式の如くになる。Ｔｓ≦ｔ≦ＴＡＬＬのときにおける差分をΔ１で示す。
【００４５】
【数９】
2005252826.tif 000011
【００４６】
Ｔｓ≦ｔ≦ＴＡＬＬ以外のときにおける差分をΔ２で示せば差分Δ２は（１０）式の如くになる。
【００４７】
【数１０】
2005252826.tif 000012
【００４８】
引き算回路１３からの出力は、信号レベルとノイズレベルとの間における所定レベルに閾値が設定される閾値回路１４と、閾値回路１４にて設定された閾値未満のレベルであるノイズを検出してこのノイズ区間の期間長にわたってノイズ電力を平均するノイズ電力平均化回路１６および閾値回路１４にて設定された閾値以上のレベルである信号とノイズとの和信号を検出して前記ノイズ区間に続く和信号区間における和信号電力を前記ノイズ区間の期間長にわたって平均する信号電力平均化回路１５に供給して、ノイズ電力の平均と信号電力の平均とを求める。
【００４９】
ここで、引き算回路１３における引き算の結果、信号成分が引き算回路１３における引き算によってキャンセルされた部分ではノイズ成分のみが残る。この結果、引き算回路１３の出力は、信号とノイズ成分との重畳信号である和信号区間と引き算によって信号成分がキャンセルされて残ったノイズ区間とからなり、和信号レベル≧ノイズ信号レベルであるため、模式的にはノイズ区間でレベルの低下した凹状であり、閾値は和信号レベルとノイズレベルとの間の所定レベルに設定されている。
【００５０】
したがって、閾値未満の区間によってノイズ区間が検出され、ノイズ区間長はガードインターバル区間長と等しく、閾値以上の区間によって和信号区間が検出され、引き算回路１３の出力にはノイズ成分区間の前後に続いて和信号区間が生じている。ノイズ電力平均化回路１６におけるノイズ電力の平均化期間はノイズ区間長に設定してあり、信号電力平均化回路１５における和信号電力の平均化期間も同様にノイズ区間長に設定してある。平均化期間を合わせてあるのは後記の除算のためである。
【００５１】
和信号成分の平均電力をＰｓとし、ノイズ成分の平均電力をＰｎとしたとき、（９）式および（１０）式の平均電力を求めると、１シンボル前と現在とで和信号電力に変化がなく、ノイズ電力においても変化がないとして、（９）式および（１０）式は（１１）式および（１２）式に示すごとくになる。
【００５２】
【数１１】
2005252826.tif 000013
【００５３】
【数１２】
2005252826.tif 000014
【００５４】
信号電力平均化回路１５の出力とノイズ電力平均化回路１６の出力との比を除算回路１７にて求め、簡易品質の値とする。除算回路１７において求めた比は（１３）式に示す如くである。
【００５５】
【数１３】
2005252826.tif 000015
【００５６】
（９）式からも明らかなようにガードインターバル期間における引き算によって信号成分が除去されてノイズ成分のみが得られ、（１０）式からも明らかなようにガードインターバル期間外における引き算によって信号とノイズとの重畳信号である和信号が得られて、最終的に信号電力平均化出力とノイズ電力平均化出力との比から平均和信号電力と平均ノイズ電力との比が求められ、これが品質の値に対応していることは言うまでもない。
【００５７】
除算回路１７にて求めた品質に基づく値をＭＥＲ値変換回路に供給してＭＥＲ値を求めてもよい。なお、ＯＦＤＭ放送波の品質測定装置５０によるときは、ＯＦＤＭ放送波の復調作用を必要としないため、ＦＦＴ演算回路や同期回路を必要とせず、構成が簡単で済む。
【００５８】
次に、本発明の実施の第３の形態にかかるＯＦＤＭ放送波の品質測定装置について説明する。図７は本発明の実施の第３の形態にかかるＯＦＤＭ放送波の品質測定装置の構成を示すブロック図である。
【００５９】
本発明の実施の第３の形態にかかるＯＦＤＭ放送波の品質測定装置６０は図７に示すように、ＯＦＤＭ放送波をＦＦＴ演算回路１および同期回路２に供給し、同期回路２においてＯＦＤＭ放送波の有効シンボル区間の位置を検出し、有効シンボル区間情報をＦＦＴ時間窓情報としてＦＦＴ演算回路１に供給して、ＦＦＴ演算回路１において入力ＯＦＤＭ放送波をＦＦＴ時間窓で抽出した信号に対してＦＦＴ演算を行って復調し、ＯＦＤＭサブキャリアを得る。
【００６０】
ＦＦＴ演算回路１から出力されるＯＦＤＭサブキャリアはスキャッタードパイロットキャリア抽出回路３に供給し、ＯＦＤＭサブキャリア中からスキャッタードパイロットキャリアを抽出する。
【００６１】
スキャッタードパイロットキャリア抽出回路３から抽出されたスキャッタードパイロットキャリアは、スキャッタードパイロットキャリア位相情報出力回路４から出力される基準スキャッタードパイロットキャリアの既知である振幅情報および位相情報を受けて除算回路５において除算演算を行い、各スキャッタードパイロットキャリアの変調内容除去と正規化とを行う。
【００６２】
除算回路５において変調内容除去と正規化がなされたスキャッタードパイロットキャリアに重み演算回路２１にて重み値を乗算することにより重みを付加し、誤差演算回路２２によって基準スキャッタードパイロットキャリアと重みが付加された各スキャッタードパイロットキャリアとの誤差を検出する。誤差演算回路２２にて演算された誤差は適応等化処理回路２３にて適応等化処理を行って重み演算回路２１における重みを、誤差演算回路２２の演算による誤差が最も小さくなるように調整する。ここで、重み演算回路２１と誤差演算回路２２と適応等化処理回路２３とは適応等化手段を構成している。
【００６３】
誤差演算回路２２により求めた誤差は誤差電力平均演算回路２５に供給して、最小にされた各スキャッタードパイロットキャリアに対する誤差電力を１有効シンボル以上の期間にわたって平均することによってキャリア別の簡易品質の値を得る。誤差電力平均演算回路２５からの出力は誤差電力和演算回路２４に供給して、所定シンボル期間にわたって加算することによって、和から総合簡易品質の値を得る。
【００６４】
誤差電力平均演算回路２５により得られた簡易品質のスキャッタードパイロットキャリア毎に得られた品質の値に基づき、全スキャッタードパイロットキャリアにわたる分布を求め、これからＯＦＤＭ放送波の品質測定装置１０による場合と同様に、品質劣化の原因を推測することもできる。
【００６５】
また、誤差の適応等化処理により、誤差の収束状態を把握することにも使用できる。
【００６６】
次に、本発明の実施の第４の形態にかかるＯＦＤＭ放送波の品質測定装置について説明する。図８は本発明の実施の第４の形態にかかるＯＦＤＭ放送波の品質測定装置の構成を示すブロック図である。
【００６７】
本発明の実施の第４の形態にかかるＯＦＤＭ放送波の品質測定装置７０は図８に示すように、ＯＦＤＭ放送波をＦＦＴ演算回路１に供給して周波数情報であるＯＦＤＭサブキャリアを得て平均化回路２８に供給して、平均化回路２８にてＯＦＤＭサブキャリアの電力をＯＦＤＭサブキャリア毎に時間方向に、所定シンボル期間にわたって平均をとる平均化を行う。
【００６８】
ＯＦＤＭ放送波の帯域は既知（１チャンネルの帯域は６ＭＨｚ）であり、平均化回路２８から出力される平均化されたＯＦＤＭサブキャリア毎の電力のレベルを、帯域内レベル取得回路２９および帯域外レベル取得回路３０に供給して、平均化された電力のレベルを帯域内レベルと帯域外レベルとに分け、帯域内レベル取得回路２９で取得した帯域内レベルと帯域外レベル取得回路３０で取得した帯域外レベルとの比を除算回路３１にて求めて、ＯＦＤＭ放送波の品質の値とする。
【００６９】
上記から明らかなように、平均化されたＯＦＤＭサブキャリアの電力のレベルを帯域内外のレベルに分けると、図９に示したようになり、帯域内レベルｅと帯域外レベルｄ１およびｄ２とに分けられ、帯域内レベルｅと、帯域外レベルｄ１およびｄ２との比がＯＦＤＭ放送波の品質の値となる。
【００７０】
ＯＦＤＭ放送波の品質測定装置７０は、ＯＦＤＭ放送波の相互変調を測定することになるので、主として送信出力の品質測定に使用することができる。
【図面の簡単な説明】
【００７１】
【図１】本発明の実施の第１の形態にかかるＯＦＤＭ放送波の品質測定装置の構成を示すブロック図である。
【図２】本発明の実施の第１の形態にかかるＯＦＤＭ放送波の品質測定装置による測定値をＭＥＲ値に変換する場合の構成を示すブロック図である。
【図３】本発明の実施の第１の形態にかかるＯＦＤＭ放送波の品質測定装置の測定結果の一例を示す模式図である。
【図４】本発明の実施の第１の形態にかかるＯＦＤＭ放送波の品質測定装置の測定結果の他の例を示す模式図である。
【図５】本発明の実施の第１の形態にかかるＯＦＤＭ放送波の品質測定装置の測定結果のさらに他の例を示す模式図である。
【図６】本発明の実施の第２の形態にかかるＯＦＤＭ放送波の品質測定装置の構成を示すブロック図である。
【図７】本発明の実施の第３の形態にかかるＯＦＤＭ放送波の品質測定装置の構成を示すブロック図である。
【図８】本発明の実施の第４の形態にかかるＯＦＤＭ放送波の品質測定装置の構成を示すブロック図である。
【図９】本発明の実施の第４の形態にかかるＯＦＤＭ放送波の品質測定装置による測定の説明に供する模式図である。
【図１０】従来のＭＥＲ測定装置の構成を示すブロック図である。
【符号の説明】
【００７２】
１…ＦＦＴ演算回路                ２…同期回路
３…スキャッタードパイロットキャリア抽出回路
４…スキャッタードパイロットキャリア位相情報出力回路
５、１７、３１…除算回路          ６、９…平均化処理回路
７…二乗誤差算出回路              ８…電力和算出回路
１０、５０、６０、７０…ＯＦＤＭ放送波の品質測定装置
１２…有効シンボル長遅延回路      １３…引き算回路
１４…閾値回路                    １５…信号電力平均化回路
１６…ノイズ電力平均化回路        ２１…重み演算回路
２２…誤差演算回路                ２３…適応等化処理回路
２４…誤差電力和演算回路          ２５…誤差電力平均演算回路
２８…平均化回路                  ２９…帯域内レベル取得回路
３０…帯域外レベル取得回路
【図１】
2005252826.tif 000016
【図２】
2005252826.tif 000017
【図３】
2005252826.tif 000018
【図４】
2005252826.tif 000019
【図５】
2005252826.tif 000020
【図６】
2005252826.tif 000021
【図７】
2005252826.tif 000022
【図８】
2005252826.tif 000023
【図９】
2005252826.tif 000024
【図１０】
2005252826.tif 000025